Podtech/llm-jp-corpus-v4-ja_patent huggingface dataset:
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
第１特定識別情報の可変表示及び第２特定識別情報の可変表示のうち、装飾識別情報の可変表示に対応した特定識別情報の可変表示に基づいて前記有利状態に制御されるときに、装飾識別情報の可変表示結果を報知する報知演出を実行可能な報知演出実行手段と、
第１特定識別情報の可変表示及び第２特定識別情報の可変表示のうち、装飾識別情報の可変表示に対応した特定識別情報の可変表示に基づいて前記有利状態に制御されるときに、可動体を用いた可動体演出を実行可能な可動体演出実行手段と、
を備え、
第１特定識別情報の可変表示及び第２特定識別情報の可変表示のうち、装飾識別情報の可変表示に対応しない特定識別情報の可変表示に基づいて前記有利状態に制御されるときには、前記報知演出と、前記可動体演出と、を実行しない
ことを特徴とする遊技機。
【手続補正２】
【補正対象書類名】明細書
【補正対象項目名】０００９
【補正方法】変更
【補正の内容】
【０００９】
手段ＣＡの遊技機は、
遊技者にとって有利な有利状態に制御可能な遊技機であって、
第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
第１特定識別情報の可変表示及び第２特定識別情報の可変表示のうち、装飾識別情報の可変表示に対応した特定識別情報の可変表示に基づいて前記有利状態に制御されるときに、装飾識別情報の可変表示結果を報知する報知演出を実行可能な報知演出実行手段と、
第１特定識別情報の可変表示及び第２特定識別情報の可変表示のうち、装飾識別情報の可変表示に対応した特定識別情報の可変表示に基づいて前記有利状態に制御されるときに、可動体を用いた可動体演出を実行可能な可動体演出実行手段と、
を備え、
第１特定識別情報の可変表示及び第２特定識別情報の可変表示のうち、装飾識別情報の可変表示に対応しない特定識別情報の可変表示に基づいて前記有利状態に制御されるときには、前記報知演出と、前記可動体演出と、を実行しない
ことを特徴とする。
また、手段Ｃ１の遊技機として、
遊技者にとって有利な有利状態（大当り遊技状態）に制御可能な遊技機（パチンコ遊技機１）であって、
第１特定識別情報の可変表示（第１特別図柄の変動表示）と第２特定識別情報の可変表示（第２特別図柄の変動表示）とを並行して実行可能な特定識別情報可変表示手段（遊技制御用マイクロコンピュータ１００）と、
遊技状態（非ＫＴ状態、ＫＴ状態）に応じて、第１特定識別情報の可変表示（第１特別図柄の変動表示）及び第２特定識別情報の可変表示（第２特別図柄の変動表示）のいずれか一方に対応して装飾識別情報の可変表示（飾り図柄の変動表示）を実行可能な装飾識別情報可変表示手段（演出制御用ＣＰＵ１２０）と、
第１特定識別情報の可変表示（第１特別図柄の変動表示）及び第２特定識別情報の可変表示（第２特別図柄の変動表示）のうち、装飾識別情報の可変表示（飾り図柄の変動表示）に対応した特定識別情報の可変表示に基づいて前記有利状態（大当り遊技状態）に制御されるとき（図１０−１４（Ａ１）〜（Ａ４）に示すように、飾り図柄に対応する第１特別図柄の変動表示の表示結果が「大当り」となるとき）に、装飾識別情報の可変表示結果を報知する報知演出（図１０−１４（Ａ４）に示すように、大当りとなる飾り図柄の組み合わせ（本例では、「２２２」）を停止表示させる演出）を実行可能な報知演出実行手段（演出制御用ＣＰＵ１２０）と、を備え、
第１特定識別情報の可変表示（第１特別図柄の変動表示）及び第２特定識別情報の可変表示（第２特別図柄の変動表示）のうち、装飾識別情報の可変表示に対応しない特定識別情報の可変表示に基づいて前記有利状態に制御されるとき（図１０−１４（Ｂ１）〜（Ｂ４）に示すように、飾り図柄に対応しない第２特別図柄の変動表示の表示結果が「大当り」となるとき）には、前記報知演出を実行しない（図１０−１４（Ｂ１）に示すように、大当りとなる飾り図柄の組み合わせを停止表示させる演出を実行せずに、「ＦＥＶＥＲ」の文字を表示することで大当りの発生を報知している）
ことを特徴とする遊技機としてもよい。
このような構成によれば、装飾識別情報に対応しない特定識別情報の可変表示に基づいて有利状態に制御されるときには、報知演出を実行しないことによって、いずれの特定識別情報の可変表示に基づいて有利状態に制御されたかを遊技者が誤認してしまうことを防ぐことができる。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
第１特定識別情報の可変表示と第２特定識別情報の可変表示とを並行して実行可能な特定識別情報可変表示手段を有する遊技制御手段と、
遊技状態に応じて、第１特定識別情報の可変表示及び第２特定識別情報の可変表示のいずれか一方に対応して装飾識別情報の可変表示を実行可能な装飾識別情報可変表示手段と、第１特定識別情報の可変表示及び第２特定識別情報の可変表示のうち、装飾識別情報の可変表示に対応しない特定識別情報の可変表示に対応して、装飾識別情報よりも視認性が低い特殊識別情報の可変表示を実行可能な特殊識別情報可変表示手段と、を有する演出制御手段と、を備え、
前記遊技制御手段は、第１特定識別情報の可変表示に関する第１情報と、第２特定識別情報の可変表示に関する第２情報と、遊技状態に関する遊技状態情報と、を前記演出制御手段に送信可能であり、
前記演出制御手段は、電源断から復旧したときに、前記第１情報と、前記第２情報と、前記遊技状態情報と、に応じて異なる態様により復旧報知を実行可能である
ことを特徴とする遊技機。
【手続補正２】
【補正対象書類名】明細書
【補正対象項目名】０００９
【補正方法】変更
【補正の内容】
【０００９】
手段ＤＡの遊技機は、
遊技者にとって有利な有利状態に制御可能な遊技機であって、
第１特定識別情報の可変表示と第２特定識別情報の可変表示とを並行して実行可能な特定識別情報可変表示手段を有する遊技制御手段と、
遊技状態に応じて、第１特定識別情報の可変表示及び第２特定識別情報の可変表示のいずれか一方に対応して装飾識別情報の可変表示を実行可能な装飾識別情報可変表示手段と、第１特定識別情報の可変表示及び第２特定識別情報の可変表示のうち、装飾識別情報の可変表示に対応しない特定識別情報の可変表示に対応して、装飾識別情報よりも視認性が低い特殊識別情報の可変表示を実行可能な特殊識別情報可変表示手段と、を有する演出制御手段と、を備え、
前記遊技制御手段は、第１特定識別情報の可変表示に関する第１情報と、第２特定識別情報の可変表示に関する第２情報と、遊技状態に関する遊技状態情報と、を前記演出制御手段に送信可能であり、
前記演出制御手段は、電源断から復旧したときに、前記第１情報と、前記第２情報と、前記遊技状態情報と、に応じて異なる態様により復旧報知を実行可能である
ことを特徴とする遊技機。
また、手段Ｄ１の遊技機として、
遊技者にとって有利な有利状態（大当り遊技状態）に制御可能な遊技機（パチンコ遊技機１）であって、
第１特定識別情報の可変表示（第１特別図柄の変動表示）と第２特定識別情報の可変表示（第２特別図柄の変動表示）とを並行して実行可能な特定識別情報可変表示手段（遊技制御用マイクロコンピュータ１００）を有する遊技制御手段（主基板１１）と、
遊技状態（非ＫＴ状態、ＫＴ状態）に応じて、第１特定識別情報の可変表示（第１特別図柄の変動表示）及び第２特定識別情報の可変表示（第２特別図柄の変動表示）のいずれか一方に対応して装飾識別情報の可変表示（飾り図柄の変動表示）を実行可能な装飾識別情報可変表示手段（演出制御用ＣＰＵ１２０）を有する演出制御手段（演出制御基板１２）と、を備え、
前記遊技制御手段（主基板１１）は、第１特定識別情報の可変表示（第１特別図柄の変動表示）に関する第１情報（第１客待ちデモ表示指定コマンド、第１特別図柄に対応した表示結果指定コマンド、第１特別図柄に対応した変動パターンコマンド）と、第２特定識別情報の可変表示（第２特別図柄の変動表示）に関する第２情報（第２客待ちデモ表示指定コマンド、第２特別図柄に対応した表示結果指定コマンド、第２特別図柄に対応した変動パターンコマンド）と、遊技状態に関する遊技状態情報（低確／非ＫＴ背景指定コマンド、低確／第１ＫＴ背景指定コマンド、高確／第１ＫＴ背景指定コマンド、高確／第２ＫＴ背景指定コマンド）と、を前記演出制御手段（演出制御基板１２）に送信可能であり、
前記演出制御手段（演出制御基板１２）は、電源断から復旧したときに、前記第１情報と、前記第２情報と、前記遊技状態情報と、に応じて異なる態様により復旧報知を実行可能である（図１０−１５の「状況２」に示すように、低確／非ＫＴ背景指定コマンド及び第２客待ちデモ表示指定コマンドを受信したことに基づいて、遊技状態が低確／非ＫＴ状態（通常状態）であり、メイン図柄である第１特別図柄の変動表示が実行されており、サブ図柄である第２特別図柄の変動表示が実行されていないことを特定可能であることから、画像表示装置５の画面全体に「電源断復旧中」という文字が表示され、図１０−１５の「状況４」に示すように、低確／非ＫＴ背景指定コマンド及び第１客待ちデモ表示指定コマンドを受信したことに基づいて、遊技状態が低確／非ＫＴ状態（通常状態）であり、メイン図柄である第１特別図柄の変動表示が実行されておらず、サブ図柄である第２特別図柄の変動表示が実行されていることを特定可能であることから、サブ図柄である第２小図柄の表示範囲（画面右上部）に「復旧中」という文字が表示され、その他の部分には各演出用図柄（飾り図柄及び第１小図柄）及び背景画像（晴れ画像）が表示される）
ことを特徴とする遊技機としてもよい。
このような構成によれば、第１特定識別情報と第２特定識別情報が並行して可変表示を実行可能な遊技機において、電源断復旧に関する適切な報知を行うことができる。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
可変表示を行うことが可能であり、遊技者にとって有利な有利状態と該有利状態とは異なる特殊状態とに制御可能な遊技機であって、  
前記有利状態は、第１有利状態と該第１有利状態よりも遊技者にとって有利な第２有利状態とを含み、
前記有利状態の終了後に、前記特殊状態による遊技価値が付与されやすい特別状態に制御可能であり、
可変表示に関する情報を保留記憶として記憶可能な保留記憶手段と、
可変表示を行う際に、前記有利状態または前記特殊状態に制御することを決定可能な決定手段と、
前記決定手段による決定前に、前記有利状態または特殊状態に制御されることを判定可能な判定手段と、
前記判定手段の判定結果にもとづいて特定演出を実行可能な特定演出実行手段と、を備え、
前記特殊状態は、第１特殊状態と該第１特殊状態よりも遊技者にとって有利な第２特殊状態とを含み、
前記判定手段は、前記特殊状態に制御されると判定したときに、該特殊状態が前記第１特殊状態と前記第２特殊状態のいずれであるかを判定可能であって、
前記判定手段によって前記第１特殊状態に制御されると判定されたときと前記第２特殊状態に制御されると判定されたときと前記有利状態に制御されると判定されたときとで前記特定演出が実行される割合が異なる、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、  
可変表示を行うことが可能であり、遊技者にとって有利な有利状態（例えば、大当り遊技状態）と該有利状態とは異なる特殊状態（小当り遊技状態）とに制御可能な遊技機（例えば、パチンコ遊技機１）であって、
前記有利状態は、第１有利状態と該第１有利状態よりも遊技者にとって有利な第２有利状態とを含み、
前記有利状態の終了後に、前記特殊状態による遊技価値（例えば、賞球）が付与されやすい特別状態（例えば第２ＫＴ状態）に制御可能であり、
可変表示に関する情報を保留記憶として記憶可能な保留記憶手段（例えば、ＣＰＵ１０３が図８−１３に示す第１始動入賞処理や図８−１４に示す第２始動入賞処理を実行する部分）と、
可変表示を行う際に、前記有利状態または前記特殊状態に制御することを決定可能な決定手段（例えば、ＣＰＵ１０３が図８−１５に示す第１特別図柄通常処理や図８−２２に示す第２特別図柄通常処理を実行する部分）と、
前記決定手段による決定前に、前記有利状態または特殊状態に制御されることを判定可能な判定手段（例えば、ＣＰＵ１０３が図８−１３に示す第１入賞時乱数値判定処理を実行する部分や、図８−１４に示す第２入賞時乱数値判定処理を実行する部分）と、
前記判定手段の判定結果にもとづいて特定演出（例えば、第２ＫＴ状態において第２特図保留記憶にもとづく保留記憶表示を青色や赤色の○で表示する演出）を実行可能な特定演出実行手段（例えば、演出制御用ＣＰＵ１２０が図８−３９に示す可変表示中演出処理を実行する部分）と、
を備え、
前記特殊状態は、第１特殊状態（例えば、２回開放小当りの小当り遊技状態）と該第１特殊状態よりも遊技者にとって有利な第２特殊状態（１０回開放小当りの小当り遊技状態）とを含み、
前記判定手段は、前記特殊状態に制御されると判定したときに、該特殊状態が前記第１特殊状態と前記第２特殊状態のいずれであるかを判定可能であって（例えば、ＣＰＵ１０３が第２入賞時乱数値判定処理において小当り種別を判定する部分）、
前記判定手段によって前記第１特殊状態に制御されると判定されたときと前記第２特殊状態に制御されると判定されたときと前記有利状態に制御されると判定されたときとで前記特定演出が実行される割合が異なる（例えば、図８−３８（Ｂ）に示すように、小当り種別が１０回開放小当りである場合は、９５％の割合で小当り報知演出が第２態様や第３態様にて実行されることにより保留記憶表示の表示態様が９５％の割合で青色または赤色の○にて表示され、小当り種別が２回開放小当りである場合は、８０％の割合で小当り報知演出が第２態様や第３態様にて実行されることにより保留記憶表示の表示態様が８０％の割合で青色または赤色の○にて表示される部分）、
ことを特徴としている。  
この特徴によれば、特定演出が実行されるか否かについて遊技者に注目させることができ、遊技興趣を向上できる。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
可変表示を行うことが可能であり、遊技者にとって有利な有利状態と該有利状態とは異なる特殊状態とに制御可能な遊技機であって、
前記有利状態は、第１有利状態と該第１有利状態よりも遊技者にとって有利な第２有利状態とを含み、
前記有利状態の終了後に、前記特殊状態による遊技価値が付与されやすい特別状態に制御可能であり、
前記特殊状態は、第１特殊状態と該第１特殊状態よりも遊技者にとって有利な第２特殊状態とを含み、
前記特別状態において前記第１特殊状態に制御されることに対応する特別演出を実行可能な特別演出実行手段と、
前記第１特殊状態による遊技価値よりも大きな遊技価値が付与されることを示唆する特殊演出を実行可能な特殊演出実行手段と、を備え、
前記特殊演出実行手段は、前記特別演出が実行された後に前記特殊演出を実行可能であり、前記特別状態において前記有利状態に制御される場合と前記第２特殊状態に制御される場合とで、異なる割合により前記特殊演出を実行可能である、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
可変表示を行うことが可能であり、遊技者にとって有利な有利状態（例えば、大当り遊技状態）と該有利状態とは異なる特殊状態（例えば、小当り遊技状態）とに制御可能な遊技機（例えば、パチンコ遊技機１）であって、
前記有利状態は、第１有利状態（例えば、２Ｒ非確変大当り）と該第１有利状態よりも遊技者にとって有利な第２有利状態（例えば、１０Ｒ確変大当り、６Ｒ確変大当り、２Ｒ確変大当り）とを含み、
前記有利状態の終了後に、前記特殊状態による遊技価値（例えば、賞球）が付与されやすい特別状態（例えば、第２ＫＴ状態）に制御可能であり、
前記特殊状態は、第１特殊状態（例えば、２回開放小当りの小当り遊技状態）と該第１特殊状態よりも遊技者にとって有利な第２特殊状態（例えば、１０回開放小当りの小当り遊技状態）とを含み、
前記特別状態において前記第１特殊状態に制御されることに対応する特別演出（例えば、小当り報知演出）を実行可能な特別演出実行手段と、
前記第１特殊状態による遊技価値よりも大きな遊技価値が付与されることを示唆する特殊演出（例えば、昇格演出）を実行可能な特殊演出実行手段（例えば、演出制御用ＣＰＵ１２０が図８−３９に示す可変表示中演出処理を実行する部分）と、を備え、
前記特殊演出実行手段は、前記特別演出が実行された後に前記特殊演出を実行可能であり（例えば、図８−４０に示すように、可変表示中において小当り報知演出の後に昇格演出を実行する部分）、前記特別状態において前記有利状態に制御される場合と前記第２特殊状態に制御される場合とで、異なる割合により前記特殊演出を実行可能である（例えば、大当り遊技状態に制御される場合は昇格演出を実行せず、１０回開放小当りの小当り遊技状態に制御される場合は必ず昇格演出を実行する部分）、
ことを特徴としている。
この特徴によれば、特殊演出が実行されるか否かについて遊技者に注目させることができるので、遊技興趣を向上できる。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
装飾識別情報の可変表示を実行可能な装飾識別情報可変表示手段と、
装飾識別情報の可変表示が実行されていないときに特別演出を実行可能な特別演出実行手段と、を備え、
前記装飾識別情報可変表示手段は、
遊技状態に応じて、第１特定識別情報の可変表示及び第２特定識別情報の可変表示のいずれか一方に対応して装飾識別情報の可変表示を実行可能であり、
遊技状態によらず、第１特定識別情報の可変表示に対応して装飾識別情報よりも視認性が低い第１特殊識別情報の可変表示を実行可能であり、第２特定識別情報の可変表示に対応して装飾識別情報よりも視認性が低い第２特殊識別情報の可変表示を実行可能であり、
前記特別演出の実行中において、前記第１開始条件及び前記第２開始条件が成立可能であるか否かにかかわらず、前記第１始動条件及び前記第２始動条件のいずれか一方が成立したことに基づいて前記特別演出を終了させる
ことを特徴とする遊技機。
【手続補正２】
【補正対象書類名】明細書
【補正対象項目名】０００９
【補正方法】変更
【補正の内容】
【０００９】
手段ＢＡの遊技機は、
遊技者にとって有利な有利状態に制御可能な遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
装飾識別情報の可変表示を実行可能な装飾識別情報可変表示手段と、
装飾識別情報の可変表示が実行されていないときに特別演出を実行可能な特別演出実行手段と、を備え、
前記装飾識別情報可変表示手段は、
遊技状態に応じて、第１特定識別情報の可変表示及び第２特定識別情報の可変表示のいずれか一方に対応して装飾識別情報の可変表示を実行可能であり、
遊技状態によらず、第１特定識別情報の可変表示に対応して装飾識別情報よりも視認性が低い第１特殊識別情報の可変表示を実行可能であり、第２特定識別情報の可変表示に対応して装飾識別情報よりも視認性が低い第２特殊識別情報の可変表示を実行可能であり、
前記特別演出の実行中において、前記第１開始条件及び前記第２開始条件が成立可能であるか否かにかかわらず、前記第１始動条件及び前記第２始動条件のいずれか一方が成立したことに基づいて前記特別演出を終了させる
ことを特徴とする。
また、手段Ｂ１の遊技機として、
遊技者にとって有利な有利状態（大当り遊技状態）に制御可能な遊技機（パチンコ遊技機１）であって、
第１始動条件（入賞球装置６Ａへの始動入賞が発生）が成立した後に第１開始条件が成立した（図１０−３に示すように、第１特別図柄通常処理において、第２特別図柄の変動表示結果に基づく大当り遊技状態及び小当り遊技状態の何れにも制御されておらず且つ第１保留記憶数が０でない）ことに基づいて第１特定識別情報（第１特別図柄）の可変表示を実行するとともに、第２始動条件（可変入賞球装置６Ｂへの始動入賞が発生）が成立した後に第２開始条件が成立した（図１０−４に示すように、第２特別図柄通常処理において、第１特別図柄の変動表示結果に基づく大当り遊技状態及び小当り遊技状態の何れにも制御されておらず且つ第２保留記憶数が０でない）ことに基づいて第２特定識別情報（第２特別図柄）の可変表示を実行し、第１特定識別情報の可変表示（第１特別図柄の変動表示）と第２特定識別情報の可変表示（第２特別図柄の変動表示）とを並行して実行可能な特定識別情報可変表示手段（遊技制御用マイクロコンピュータ１００）と、
遊技状態（非ＫＴ状態、ＫＴ状態）に応じて、第１特定識別情報の可変表示（第１特別図柄の変動表示）及び第２特定識別情報の可変表示（第２特別図柄の変動表示）のいずれか一方に対応して装飾識別情報の可変表示（飾り図柄の変動表示）を実行可能な装飾識別情報可変表示手段（演出制御用ＣＰＵ１２０）と、
装飾識別情報の可変表示（飾り図柄の変動表示）が実行されていないときに特別演出（第１デモ表示、第２デモ表示）を実行可能な特別演出実行手段（演出制御用ＣＰＵ１２０）と、を備え、
前記特別演出（第１デモ表示、第２デモ表示）の実行中において、前記第１開始条件及び前記第２開始条件が成立可能であるか否かにかかわらず、前記第１始動条件及び前記第２始動条件のいずれか一方が成立したことに基づいて前記特別演出を終了させる（図１０−２１に示すように、入賞球装置６Ａへの始動入賞が発生し、第１保留記憶数が１となると（ステップＳ０６ＴＭ１４００でＮＯ）、第１デモ表示を終了させ、図１０−２２に示すように、可変入賞球装置６Ｂへの始動入賞が発生し、第２保留記憶数が１となると（ステップＳ０６ＴＭ１５００でＮＯ）、第２デモ表示を終了させる）
ことを特徴としてもよい。
このような構成によれば、特定識別情報の始動条件の成立状況に応じた適切な演出制御を実現できる。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
遊技者にとって有利な有利状態と、前記有利状態とは異なる特殊状態と、に制御可能な遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
装飾識別情報の可変表示が実行されていないときに特別演出を実行可能な特別演出実行手段と、を備え、
前記特別演出の実行中において、前記第１開始条件及び前記第２開始条件が成立可能なときに、前記第１始動条件及び前記第２始動条件のいずれか一方が成立したことに基づいて前記特別演出を終了させることが可能であり、
前記有利状態または前記特殊状態に制御されているときに前記第１開始条件及び前記第２開始条件が成立不能であり、
前記特別演出の実行中において、前記第１開始条件及び前記第２開始条件が成立不能なときに、前記第１始動条件及び前記第２始動条件のいずれか一方が成立したか否かにかかわらず前記特別演出を継続させることが可能である
ことを特徴とする遊技機。
【手続補正２】
【補正対象書類名】明細書
【補正対象項目名】０００９
【補正方法】変更
【補正の内容】
【０００９】
手段ＡＡの遊技機は、
遊技者にとって有利な有利状態と、前記有利状態とは異なる特殊状態と、に制御可能な遊技機であって、
第１始動条件が成立した後に第１開始条件が成立したことに基づいて第１特定識別情報の可変表示を実行するとともに、第２始動条件が成立した後に第２開始条件が成立したことに基づいて第２特定識別情報の可変表示を実行し、第１特定識別情報の可変表示と第２特定識別情報の可変表示とを並行して実行可能な特定識別情報可変表示手段と、
遊技状態に応じて、第１特定識別情報の可変表示及び第２特定識別情報の可変表示のいずれか一方に対応して装飾識別情報の可変表示を実行可能な装飾識別情報可変表示手段と、
装飾識別情報の可変表示が実行されていないときに特別演出を実行可能な特別演出実行手段と、を備え、
前記特別演出の実行中において、前記第１開始条件及び前記第２開始条件が成立可能なときに、前記第１始動条件及び前記第２始動条件のいずれか一方が成立したことに基づいて前記特別演出を終了させることが可能であり、
前記有利状態または前記特殊状態に制御されているときに前記第１開始条件及び前記第２開始条件が成立不能であり、
前記特別演出の実行中において、前記第１開始条件及び前記第２開始条件が成立不能なときに、前記第１始動条件及び前記第２始動条件のいずれか一方が成立したか否かにかかわらず前記特別演出を継続させることが可能である
ことを特徴とする。
また、手段Ａ１の遊技機として、
遊技者にとって有利な有利状態（大当り遊技状態）に制御可能な遊技機（パチンコ遊技機１）であって、
第１始動条件（入賞球装置６Ａへの始動入賞が発生）が成立した後に第１開始条件が成立した（図１０−３に示すように、第１特別図柄通常処理において、第２特別図柄の変動表示結果に基づく大当り遊技状態及び小当り遊技状態の何れにも制御されておらず且つ第１保留記憶数が０でない）ことに基づいて第１特定識別情報（第１特別図柄）の可変表示を実行するとともに、第２始動条件（可変入賞球装置６Ｂへの始動入賞が発生）が成立した後に第２開始条件が成立した（図１０−４に示すように、第２特別図柄通常処理において、第１特別図柄の変動表示結果に基づく大当り遊技状態及び小当り遊技状態の何れにも制御されておらず且つ第２保留記憶数が０でない）ことに基づいて第２特定識別情報（第２特別図柄）の可変表示を実行し、第１特定識別情報の可変表示（第１特別図柄の変動表示）と第２特定識別情報の可変表示（第２特別図柄の変動表示）とを並行して実行可能な特定識別情報可変表示手段（遊技制御用マイクロコンピュータ１００）と、
遊技状態（非ＫＴ状態、ＫＴ状態）に応じて、第１特定識別情報の可変表示（第１特別図柄の変動表示）及び第２特定識別情報の可変表示（第２特別図柄の変動表示）のいずれか一方に対応して装飾識別情報の可変表示（飾り図柄の変動表示）を実行可能な装飾識別情報可変表示手段（演出制御用ＣＰＵ１２０）と、
装飾識別情報の可変表示（飾り図柄の変動表示）が実行されていないときに特別演出（第１デモ表示、第２デモ表示）を実行可能な特別演出実行手段（演出制御用ＣＰＵ１２０）と、を備え、
前記特別演出（第１デモ表示、第２デモ表示）の実行中において、前記第１開始条件及び前記第２開始条件が成立可能なときに、前記第１始動条件及び前記第２始動条件のいずれか一方が成立したことに基づいて前記特別演出を終了させることが可能であり（図９−３８に示すように、第１特別図柄の変動表示が開始されると（ステップ０２６ＩＷＳ４７１４でＹＥＳ）、第１デモ表示が終了し（ステップ０２６ＩＷＳ４７１６）、図９−３９に示すように、第２特別図柄の変動表示が開始されると（ステップ０２６ＩＷＳ４８１４でＹＥＳ）、第２デモ表示が終了し（ステップ０２６ＩＷＳ４８１６））、
前記特別演出（第１デモ表示、第２デモ表示）の実行中において、前記第１開始条件及び前記第２開始条件が成立不能な（図１０−３に示すように、第１特別図柄通常処理において、第２特別図柄の変動表示結果に基づいて小当り遊技状態に制御されている（ステップＳ０６ＴＭ１０００ＡでＹＥＳ）、図１０−４に示すように、第２特別図柄通常処理において、第１特別図柄の変動表示結果に基づいて小当り遊技状態に制御されている（ステップＳ０６ＴＭ１０００ＢでＹＥＳ））ときに、前記第１始動条件及び前記第２始動条件のいずれか一方が成立したか否かにかかわらず前記特別演出を継続させることが可能である（図９−３８に示すように、第１特別図柄の変動表示が開始されず（ステップ０２６ＩＷＳ４７１４でＮＯ）、小当り遊技状態に制御されているので（ステップ０２６ＩＷＳ４７１５でＮＯ）、第１デモ表示が終了せず、図９−３９に示すように、第２特別図柄の変動表示が開始されず（ステップ０２６ＩＷＳ４８１４でＮＯ）、小当り遊技状態に制御されているので（ステップ０２６ＩＷＳ４８１５でＹＥＳ）、第２デモ表示が終了しない）
ことを特徴としてもよい。
このような構成によれば、特定識別情報の変動表示の状況に対応した適切な演出制御を実現できる。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの移行判定を行う移行判定手段と、
前記特別遊技において、遊技球の入球が許容される許容状態と、遊技球の入球が制限される制限状態と、が切り替えられる入賞口と、
前記特別遊技において前記許容状態とされた前記入賞口への遊技球の入球に基づいて遊技者に第１の特典を付与する第１の特典付与手段と、
遊技者によって操作される操作手段と、
前記特別遊技の実行期間中に設定される所定期間に遊技者によって前記操作手段に対して所定の操作がなされた場合、遊技者に付与する前記第１の特典とは異なる第２の特典がある場合に、前記第２の特典が付与されることを示す第２の特典付与情報を、前記特別遊技において遊技者に提示する第２の特典付与情報提示手段と、
前記第２の特典付与情報提示手段によって前記第２の特典付与情報が提示された後に、遊技者に前記第２の特典を付与する第２の特典付与手段と、
を備えることを特徴とする遊技機。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
遊技を行う遊技機であって、
複数種類の特別音と、前記特別音とは異なり、特定演出の実行に伴い出力される特定音と、を出力可能な音出力制御手段と、
遊技者にとって通常状態よりも有利な特別状態に制御可能な特別状態制御手段と、を備え、
前記複数種類の特別音として、少なくとも第１特別音と前記第１特別音とは異なる第２特別音とを含み、
前記第２特別音は、前記特定音と同じ種類の音を含んでおり、
前記音出力制御手段は、前記第１特別音の出力中に前記特定演出が実行される場合は、前記特定音を制限せずに出力し、前記第２特別音の出力中に前記特定演出が実行される場合は、前記特定音の出力を制限し、
前記特別音は、少なくとも前記特別状態に制御されているときに、前記音出力制御手段により出力される、
ことを特徴する遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技を行う遊技機（例えばパチンコ遊技機１など）であって、
複数種類の特別音（例えば第１特別音と第２特別音など）と、前記特別音とは異なり、特定演出の実行に伴い出力される特定音（例えば特定音など）と、を出力可能な音出力制御手段（例えばステップ０３５ＡＫＳ００１、ステップ０３５ＡＫＳ０１４、またはステップ０３５ＡＫＳ０２４の処理を実行する部分など）と、
遊技者にとって通常状態よりも有利な特別状態に制御可能な特別状態制御手段と、を備え、
前記複数種類の特別音として、少なくとも第１特別音と前記第１特別音とは異なる第２特別音とを含み（例えばボイス音を含まない第１特別音とボイス音を含む第２特別音など）、
前記第２特別音は、前記特定音と同じ種類の音（例えばボイス音など）を含んでおり、
前記音出力制御手段は、前記第１特別音の出力中に前記特定演出が実行される場合は、前記特定音を制限せずに出力し（例えばステップ０３５ＡＫＳ０１４にて第１特別音の出力中である場合には選択音量で特定音を出力する部分など）、前記第２特別音の出力中に前記特定演出が実行される場合は、前記特定音の出力を制限し（例えばステップ０３５ＡＫＳ０１４にて第２特別音の出力中である場合にはステップ０３５ＡＫＳ０１３の設定に従って特定音を出力する部分など）、
前記特別音は、少なくとも前記特別状態に制御されているときに、前記音出力制御手段により出力される、
ことを特徴する。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能であって、
複数種類の特定演出を実行可能な特定演出実行手段と、
所定表示を所定動作させて表示する所定表示手段と、を備え、
前記所定表示が特定態様となったことにより前記所定動作を終了して前記複数種類の特定演出のうちいずれかの特定演出を実行する第１演出パターンと、
前記所定表示が前記特定態様と同一または類似の態様となったときに前記所定動作を終了せずに継続させた後、前記所定表示が前記特定態様なったことにより前記所定動作を終了して前記複数種類の特定演出のうちいずれかの特定演出を実行する第２演出パターンと、のいずれかの演出パターンにより特定演出を実行可能であり、
前記所定表示の所定動作の期間により前記有利状態に制御される割合が異なる、
ことを特徴する遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技者にとって有利な有利状態（例えば大当り遊技状態など）に制御可能であって、
複数種類の特定演出を実行可能な特定演出実行手段（例えば予告演出を実行可能な演出制御用ＣＰＵ１２０など）と、
所定表示を所定動作させて表示する所定表示手段（例えばタイマ表示のカウント値を減算表示する動作表示を行う演出制御用ＣＰＵ１２０など）と、を備え、
前記所定表示が特定態様となったことにより前記所定動作を終了して前記複数種類の特定演出のうちいずれかの特定演出を実行する第１演出パターン（例えばパターン１など）と、
前記所定表示が前記特定態様と同一または類似の態様となったときに前記所定動作を終了せずに継続させた後、前記所定表示が前記特定態様なったことにより前記所定動作を終了して前記複数種類の特定演出のうちいずれかの特定演出を実行する第２演出パターン（例えばパターン２など）と、のいずれかの演出パターンにより特定演出を実行可能であり、
前記所定表示の所定動作の期間により前記有利状態に制御される割合が異なる（例えばタイマ表示のカウント値が減算表示されていく動作表示の期間が長い程、大当りに対する信頼度が高いなど）、
ことを特徴する。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
発電装置で発電された電源電圧で駆動する半導体装置であって、
前記半導体装置は、
電源ノードから前記電源電圧の供給を受ける負荷回路と、
前記電源ノードと前記負荷回路との間に設けられるスイッチと、
前記スイッチと並列に前記電源ノードと接続される第１のコンデンサと、
前記電源ノードの電圧レベルに基づいて前記スイッチを制御するスイッチ制御回路とを備え、
前記負荷回路の起動時の消費電力は、定常時の消費電力よりも大きい、半導体装置。
【請求項２】
前記負荷回路の定常時の消費電力は、前記発電装置の発電量よりも小さい、請求項１記載の半導体装置。
【請求項３】
前記スイッチ制御回路は、
前記電源ノードの電圧レベルが第１の電圧レベルに到達した場合に前記スイッチを導通させ、
前記電源ノードの電圧レベルが第２の電圧レベル以下になった場合に前記スイッチを非導通に設定する、請求項２記載の半導体装置。
【請求項４】
前記スイッチ制御回路は、
前記電源ノードの電圧レベルと、基準電圧とを比較する比較回路と、
前記比較回路の比較結果に基づいて前記第１のスイッチに信号を出力する信号生成回路とを含む、請求項３記載の半導体装置。
【請求項５】
前記比較回路は、
前記電源ノードの電圧レベルと第１の基準電圧とを比較する第１の比較器と、
前記電源ノードの電圧レベルと第２の基準電圧とを比較する第２の比較器とを含み、
前記信号生成回路は、
前記第１の比較器の比較結果に基づく信号に従ってセットし、前記第２の比較器の比較結果に基づく信号に従ってリセットするＲＳフリップフロップ回路を含む、請求項４記載の半導体装置。
【請求項６】
前記比較回路は、前記第１および第２の基準電圧を生成する基準電圧生成回路をさらに含む、請求項５記載の半導体装置。
【請求項７】
前記スイッチ制御回路は、前記電源ノードの電圧レベルに基づいて前記負荷回路をリセットするリセット信号を出力する、請求項２記載の半導体装置。
【請求項８】
前記スイッチと前記負荷回路との間の内部ノードと接続される第２のコンデンサをさらに備える、請求項２記載の半導体装置。
【請求項９】
前記内部ノードの電圧レベルを検出し、検出結果に基づいて前記負荷回路を起動する起動信号を出力する電圧検出回路をさらに備える、請求項８記載の半導体装置。
【請求項１０】
前記負荷回路は、ＭＯＳトランジスタで構成され、
前記ＭＯＳトランジスタの閾値電圧を調整するバックバイアス電圧を制御するバックバイアス制御回路を含む、請求項２記載の半導体装置。
【請求項１１】
前記バックバイアス制御回路は、前記起動信号に基づいて前記ＭＯＳトランジスタの閾値電圧を高く設定する、請求項１０記載の半導体装置。
【請求項１２】
前記起動信号に基づいて前記負荷回路の消費電力は減少する、請求項１１記載の半導体装置。
【手続補正書】
【提出日】令和2年7月31日(2020.7.31)
【手続補正１】
【補正対象書類名】明細書
【補正対象項目名】００３６
【補正方法】変更
【補正の内容】
【００３６】
（実施の形態１）
＜システム構成＞
図１は、本実施の形態に係る車載通信システムの構成を示すブロック図である。本実施の形態に係る車載通信システム１は、車両１００に複数のＥＣＵ３と、複数のＧＷ（Gate Way）１０とを備え、複数のＥＣＵ３及びＧＷ１０が通信線５，６を介してメッセージの送受信を行うシステムである。一例として図１には、車両１００にＧＷ１０が２つ搭載され、２つのＧＷ１０が２つの通信線６を介して接続され、各ＧＷ１０に３つの通信線５が接続され、各通信線５に３つのＥＣＵ３が接続された車載通信システム１の構成が示されている。以下の説明において２つのＧＷ１０を区別する必要がある場合には、図１に示すように一方をＧＷ１０ａとし、他方をＧＷ１０ｂとして、異なる符号を付して区別する。なお車載通信システム１に含まれるＥＣＵ３の数、ＧＣＷ１０の数、通信線５，６の数、装置の接続態様及びネットワーク構成等は、図示のものに限らない。
【手続補正２】
【補正対象書類名】明細書
【補正対象項目名】００７８
【補正方法】変更
【補正の内容】
【００７８】
実施の形態３に係るＧＷ１０の監視処理部２２は、例えば数１００ミリ秒〜数秒の単位時間における各通信線６の送信データ量を計量すると共に、通信線６の間の不平衡度を算出する。不平衡度は、例えば以下の（１）式に基づいて算出することができる。なお（１）式において、”ＵＢ”は不平衡度であり、”Ｄａ”は複数の通信線６における送信データ量の平均値であり、”Ｄ”は平均値Ｄａとの差が最も大きい通信線６の送信データ量である。本例においては、２つのＧＷ１０が２つの通信線６にて接続されているため、”Ｄ”はいずれか一方の通信線６の送信データ量とすればよい。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
被験体における炎症の低減に使用するための、細菌表面上のリポテイコ酸（ＬＴＡ）の提示が減少した細菌を含む医薬組成物であって、前記ＬＴＡの減少した提示は、遺伝子改変を欠く対照細菌と比較して、遺伝子改変から生じるものである、医薬組成物。
【請求項２】
前記遺伝子改変が、ホスホグリセロールトランスフェラーゼポリヌクレオチドの少なくとも１塩基対の欠失または置換を含み、それにより、前記ホスホグリセロールトランスフェラーゼの発現が、前記遺伝子改変を欠く対照細菌と比較して減少する、請求項１に記載の使用のための医薬組成物。
【請求項３】
前記ホスホグリセロールトランスフェラーゼポリヌクレオチドが、配列番号１に示す核酸配列と少なくとも９０％の配列同一性を有するヌクレオチド配列を含む、請求項２に記載の使用のための医薬組成物。
【請求項４】
前記細菌が、１０５ＣＦＵ／グラム〜１０１２ＣＦＵ／グラムまたは１０５ＣＦＵ／ｍｌ〜１０１２ＣＦＵ／ｍｌの濃度で存在する、請求項１〜３のいずれか一項に記載の使用のための医薬組成物。
【請求項５】
前記細菌が、Ｌａｃｔｏｂａｃｉｌｌｕｓ細菌であり、前記対照細菌がＬａｃｔｏｂａｃｉｌｌｕｓ対照細菌である、請求項１〜４のいずれか一項に記載の使用のための医薬組成物。
【請求項６】
前記Ｌａｃｔｏｂａｃｉｌｌｕｓ細菌がプロバイオティック細菌である、請求項５に記載の使用のための医薬組成物。
【請求項７】
前記ＬａｃｔｏｂａｃｉｌｌｕｓがＬａｃｔｏｂａｃｉｌｌｕｓ  ａｃｉｄｏｐｈｉｌｕｓである、請求項５〜６のいずれか一項に記載の使用のための医薬組成物。
【請求項８】
前記Ｌａｃｔｏｂａｃｉｌｌｕｓ  ａｃｉｄｏｐｈｉｌｕｓ細菌がＬａｃｔｏｂａｃｉｌｌｕｓ  ａｃｉｄｏｐｈｉｌｕｓ  ＮＣＦＭである、請求項７に記載の使用のための医薬組成物。
【請求項９】
前記組成物が担体材料をさらに含む、請求項１〜８のいずれか一項に記載の使用のための医薬組成物。
【請求項１０】
前記担体材料が天然に存在しないものである、請求項９に記載の使用のための医薬組成物。
【請求項１１】
前記組成物が、錠剤、吸引錠剤、噛み錠剤、チューインガム、カプセル、小袋、粉末、顆粒剤、被覆粒子、被覆錠剤、腸溶被覆錠剤、腸溶被覆カプセル、融解ストリップまたはフィルムとして製剤化される、請求項１〜１０のいずれか一項に記載の使用のための医薬組成物。
【請求項１２】
前記炎症が前記被験体の胃腸管において低減される、請求項１〜１１のいずれか一項に記載の使用のための医薬組成物。
【請求項１３】
前記細菌が、前記被験体において少なくとも１つの抗炎症性サイトカインの生成を増加させる、請求項１〜１２のいずれか一項に記載の使用のための医薬組成物。
【請求項１４】
前記抗炎症性サイトカインがＩＬ−１０である、請求項１３に記載の使用のための医薬組成物。
【請求項１５】
前記細菌が前記被験体において１つまたはそれより多くの炎症誘発性サイトカインの生成を減少させる、請求項１〜１２のいずれか一項に記載の使用のための医薬組成物。
【請求項１６】
前記炎症誘発性サイトカインが、ＩＬ−１２、ＩＬ−６、ＩＦＮγ、ＴＮＦαおよびこれらの任意の組合せからなる群より選択される、請求項１５に記載の使用のための医薬組成物。
【請求項１７】
前記細菌が、治療的有効量で被験体に投与されるように製剤化され、前記細菌の前記治療的有効量が１０８〜１０１２ＣＦＵ／日である、請求項１〜１６のいずれか一項に記載の使用のための医薬組成物。
【請求項１８】
前記被験体が胃腸障害を有する、請求項１〜１７のいずれか一項に記載の使用のための医薬組成物。
【請求項１９】
前記胃腸障害が、炎症性腸疾患、クローン病、過敏性腸症候群、潰瘍性大腸炎、肥満、下痢、鼓脹、膨満、腹部けいれん、腹部疼痛、便秘およびその任意の組合せからなる群より選択される、請求項１８に記載の使用のための医薬組成部物。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）であって、
周期的間隔で、ノードＢへ第１のチャネル品質インジケータ（ＣＱＩ）を送信するように構成されたプロセッサを備え、
前記プロセッサは、前記ノードＢから送信を受信するようさらに構成され、
前記プロセッサは、前記ノードＢからの前記送信を復号するようさらに構成され、前記ノードＢからの前記送信は前記ＷＴＲＵの無線ネットワーク一時識別子（ＲＮＴＩ）に関連付けられており、
前記プロセッサは、前記ＷＴＲＵの前記ＲＮＴＩに関連付けられた、前記ノードＢからの前記送信の復号に応答して、前記ノードＢが、前記ＷＴＲＵに対して第２のＣＱＩを送信することを要求していると決定するようさらに構成され、
前記プロセッサは、前記ノードＢが前記ＷＴＲＵに対して前記第２のＣＱＩを送信することを要求していると決定することに応答して、前記ノードＢへ、ハイブリッド自動再送要求（ＨＡＲＱ）肯定応答（ＡＣＫ）／否定応答（ＮＡＣＫ）情報とともに前記第２のＣＱＩを送信するようにさらに構成された
ＷＴＲＵ。
【請求項２】
前記ノードＢからの前記送信は、共有チャネルを経由して受信される請求項１に記載のＷＴＲＵ。
【請求項３】
前記共有チャネルは、高速共有制御チャネル（ＨＳ−ＳＣＣＨ）である請求項２に記載のＷＴＲＵ。
【請求項４】
前記第１のＣＱＩおよび前記第２のＣＱＩは、ランダムアクセスチャネル（ＲＡＣＨ）を経由して送信される請求項１に記載のＷＴＲＵ。
【請求項５】
前記ノードＢは、基地局、サイトコントローラ、またはアクセスポイントのうちの１つである、請求項１に記載のＷＴＲＵ。
【請求項６】
無線送信／受信ユニット（ＷＴＲＵ）によって実施される方法であって、
周期的間隔で、ノードＢへ第１のチャネル品質インジケータ（ＣＱＩ）を送信するステップと、
前記ノードＢから送信を受信するステップと、
前記ノードＢからの前記送信を復号するステップであって、前記ノードＢからの前記送信は前記ＷＴＲＵの無線ネットワーク一時識別子（ＲＮＴＩ）に関連付けられている、ステップと、
前記ＷＴＲＵの前記ＲＮＴＩに関連付けられた、前記ノードＢからの前記送信の復号に応答して、前記ノードＢが前記ＷＴＲＵに対して第２のＣＱＩを送信することを要求していると決定するステップと、
前記ノードＢが前記ＷＴＲＵに対して前記第２のＣＱＩを送信することを要求していると決定することに応答して、前記ノードＢへ、ハイブリッド自動再送要求（ＨＡＲＱ）肯定応答（ＡＣＫ）／否定応答（ＮＡＣＫ）情報とともに前記第２のＣＱＩを送信するステップと
を備える方法。
【請求項７】
前記ノードＢからの前記送信は、共有チャネルを経由して受信される請求項６に記載の方法。
【請求項８】
前記共有チャネルは、高速共有制御チャネル（ＨＳ−ＳＣＣＨ）である請求項７に記載の方法。
【請求項９】
前記第１のＣＱＩおよび前記第２のＣＱＩは、ランダムアクセスチャネル（ＲＡＣＨ）を経由して送信される請求項６に記載の方法。
【請求項１０】
前記ノードＢは、基地局、サイトコントローラ、またはアクセスポイントのうちの１つである、請求項６に記載の方法。
【請求項１１】
周期的間隔で、無線送信／受信ユニット（ＷＴＲＵ）から第１のチャネル品質インジケータ（ＣＱＩ）を受信するように構成されたプロセッサを備え、
前記プロセッサは、第２のＣＱＩを送信する要求を前記ＷＴＲＵへ送信するようさらに構成され、前記要求は送信を経由して前記ＷＴＲＵへ送信され、前記要求は前記ＷＴＲＵの無線ネットワーク一時識別子（ＲＮＴＩ）に関連付けて送信され、
前記プロセッサは、前記ＷＴＲＵから、ハイブリッド自動再送要求（ＨＡＲＱ）肯定応答（ＡＣＫ）／否定応答（ＮＡＣＫ）情報とともに前記第２のＣＱＩを受信するようにさらに構成された
ノードＢ。
【請求項１２】
前記送信は、共有チャネルを経由して送信される請求項１１に記載のノードＢ。
【請求項１３】
前記共有チャネルは、高速共有制御チャネル（ＨＳ−ＳＣＣＨ）である請求項１２に記載のノードＢ。
【請求項１４】
前記第１のＣＱＩおよび前記第２のＣＱＩは、ランダムアクセスチャネル（ＲＡＣＨ）を経由して受信される請求項１１に記載のノードＢ。
【請求項１５】
前記ノードＢは、基地局、サイトコントローラ、またはアクセスポイントのうちの１つである、請求項１１に記載のノードＢ。
【請求項１６】
ノードＢによって実施される方法であって、
周期的間隔で、無線送信／受信ユニット（ＷＴＲＵ）から、第１のチャネル品質インジケータ（ＣＱＩ）を受信するステップと、
第２のＣＱＩを送信する要求を前記ＷＴＲＵへ送信するステップであって、前記要求は送信を経由して前記ＷＴＲＵへ送信され、前記要求は前記ＷＴＲＵの無線ネットワーク一時識別子（ＲＮＴＩ）に関連付けて送信される、ステップと、
前記ＷＴＲＵから、ハイブリッド自動再送要求（ＨＡＲＱ）肯定応答（ＡＣＫ）／否定応答（ＮＡＣＫ）情報とともに前記第２のＣＱＩを受信するステップと
を備える方法。
【請求項１７】
前記送信は、共有チャネルを経由して送信される請求項１６に記載の方法。
【請求項１８】
前記共有チャネルは、高速共有制御チャネル（ＨＳ−ＳＣＣＨ）である請求項１７に記載の方法。
【請求項１９】
前記第１のＣＱＩおよび前記第２のＣＱＩは、ランダムアクセスチャネル（ＲＡＣＨ）を経由して受信される請求項１６に記載の方法。
【請求項２０】
前記ノードＢは、基地局、サイトコントローラ、またはアクセスポイントのうちの１つである、請求項１６に記載の方法。